【手続補正書】
【提出日】平成30年2月8日(2018.2.8)
【手続補正１】
【補正対象書類名】明細書
【補正対象項目名】００７７
【補正方法】変更
【補正の内容】
【００７７】
本明細書に開示される特定の代表的な要素、構造、特長、詳細、構成などは、修正され得る、及び／又は多数の実施形態と組み合わされ得ることが、当業者には明らかであろう。本発明は、開示又は列挙される要素のうちのいずれかを好適に含み得る、それらからなり得る、又はそれらから本質的になり得る。本明細書で使用する時、「〜から本質的になる」という用語は、所与の組成物又は生成物の所望の特性に著しく影響しない追加の材料の存在を除外しない。特に、本明細書において代替として積極的に列挙されている全ての要素は、所望の任意の組み合わせで、特許請求の範囲に明示的に含まれてもよく、又は特許請求の範囲から除外されてもよい。全てのかかる変形例及び組み合わせは、発明者によって、考えられた発明の境界内であると企図され、例示的な図示として役立つように選択された単なる代表的な設計ではない。したがって、本発明の範囲は、本明細書に記載される特定の例示的構造に限定されるべきではなく、むしろ特許請求の範囲の文言によって述べられる構造及びこうした構造の均等物にまで少なくとも延長されるものである。記載された通りの本明細書と、参照によって本明細書に援用されるいずれかの文書の開示内容との間に矛盾又は食い違いが存在する場合、記載された通りの本明細書が優先するものとする。
以下、本発明の好ましい態様を説明する。
〔態様１〕
すり磨き物品であって、
内部並びに第１の主表面及び第２の主表面を含むモノリシック不織布パッドであって、
繊維−繊維溶融結合によって互いに結合される少なくともいくつかの不織布繊維と、
小球形態で前記モノリシック不織布パッド全体に分散される結合剤によって互いに結合される少なくともいくつかの不織布繊維と、を含む、モノリシック不織布パッド、を含み、
前記モノリシック不織布パッドが、前記モノリシック不織布パッドと一体であり、かつ前記モノリシック不織布パッドの前記第１の主表面を提供する外側主表面を含む、第１の準高密度化繊維層を含み、
前記モノリシック不織布パッドの前記第１の主表面が、離間配置されたすり磨き体の第１の列を含み、前記第１の列の少なくとも選択されたすり磨き体がそれぞれ、前記モノリシック不織布パッドの前記第１の準高密度化繊維層内に少なくとも部分的に侵入する内側部分、及び前記モノリシック不織布パッドの前記第１の主表面を超えて外側に突出する外側部分を含む、すり磨き物品。
〔態様２〕
前記パッドの前記不織布繊維が、第１の融点を示す第１の短繊維、及び前記第１の短繊維の前記第１の融点よりも低い第２の融点を示す少なくとも１つの構成要素を含む第２の短繊維を含み、少なくとも選択された第２の短繊維が、前記第１の短繊維と前記第２の短繊維との間の接触点で前記第１の短繊維に溶融結合される、態様１に記載のすり磨き物品。
〔態様３〕
前記パッドの前記不織布繊維のうちの少なくともいくつかが捲縮短繊維である、態様２に記載のすり磨き物品。
〔態様４〕
前記第１の短繊維のうちの少なくともいくつかがポリエステル繊維である、態様２に記載のすり磨き物品。
〔態様５〕
前記第２の短繊維のうちの少なくともいくつかが、複合結合繊維、単一成分結合繊維、並びにこれらのブレンド及び混合物からなる群から選択される、態様２に記載のすり磨き物品。
〔態様６〕
但し、前記パッドの前記不織布繊維のうちの少なくとも実質的に全部は疎水性繊維である、態様１に記載のすり磨き物品。
〔態様７〕
前記少なくとも１つの結合剤が、熱硬化性結合剤前駆体から誘導される熱硬化性結合剤である、態様１に記載のすり磨き物品。
〔態様８〕
前記少なくとも１つの結合剤が、水性ラテックス形態の結合剤前駆体から誘導される、態様１に記載のすり磨き物品。
〔態様９〕
但し、前記結合剤は水溶性結合剤ではない、態様１に記載のすり磨き物品。
〔態様１０〕
前記少なくとも１つの結合剤が研磨粒子を含む、態様１に記載のすり磨き物品。
〔態様１１〕
但し、前記少なくとも１つの結合剤は研磨粒子を含まない、態様１に記載のすり磨き物品。
〔態様１２〕
少なくとも選択されたすり磨き体がそれぞれ、有機ポリマー樹脂からなる、態様１に記載のすり磨き物品。
〔態様１３〕
前記有機ポリマー樹脂がフェノール樹脂である、態様１２に記載のすり磨き物品。
〔態様１４〕
少なくとも選択されたすり磨き体がそれぞれ、研磨粒子を含む、態様１に記載のすり磨き物品。
〔態様１５〕
但し、前記すり磨き体は研磨粒子を含まない、態様１に記載のすり磨き物品。
〔態様１６〕
前記すり磨き体の内側部分が、平均で、前記すり磨き物品の前記第１の主表面から内側に、前記モノリシック不織布パッドの全厚の約１０％未満の距離で延在する、態様１に記載のすり磨き物品。
〔態様１７〕
前記第１の列の少なくとも選択されたすり磨き体がそれぞれ、前記モノリシック不織布パッドの前記第１の主表面を超えて少なくとも０．２ｍｍ外側に突出する外側部分を含む、態様１に記載のすり磨き物品。
〔態様１８〕
少なくとも選択されたすり磨き体がそれぞれ、前記モノリシック不織布パッドの前記第１の主表面を提供する繊維のセグメントによって確立されたトポグラフィーに概ね従う外側面を有する、態様１に記載のすり磨き物品。
〔態様１９〕
前記第１の準高密度化繊維層が、前記パッドの前記内部の硬度よりも少なくとも約２０％高い硬度を示す、態様１に記載のすり磨き物品。
〔態様２０〕
前記モノリシック不織布パッドと一体であり、かつ前記モノリシック不織布パッドの前記第２の主表面を提供する外側主表面を含む第２の準高密度化繊維層を更に含み、前記モノリシック不織布パッドの前記第２の主表面が、離間配置されたすり磨き体の第２の列を含み、前記第２の列の少なくとも選択されたすり磨き体がそれぞれ、前記モノリシック不織布パッドの前記第２の準高密度化繊維層に少なくとも部分的に侵入する内側部分、及び前記モノリシック不織布パッドの前記第２の主表面を超えて外側に突出する外側部分を含む、態様１に記載のすり磨き物品。
〔態様２１〕
前記モノリシック不織布パッドの全厚が少なくとも約４ｍｍである、態様１に記載のすり磨き物品。
〔態様２２〕
前記モノリシック不織布パッドがエアレイドパッドである、態様１に記載のすり磨き物品。
〔態様２３〕
但し、前記モノリシック不織布パッドは、嵩高回復可能なパッドでも、嵩高回復したパッドでもない、態様１に記載のすり磨き物品。
〔態様２４〕
食品と接触する表面をすり磨きする方法であって、態様１に記載のすり磨き物品の前記第１の主表面を前記食品と接触する表面と手動で接触させる工程と、前記すり磨き物品の前記第１の主表面を前記食品と接触する表面と接触させながら、前記すり磨き物品を前記食品と接触する表面の周囲に手動で移動させる工程と、を含む、方法。
〔態様２５〕
すり磨き物品の製造方法であって、
内部並びに第１の主表面及び第２の主表面を含むモノリシック不織布パッドを提供する工程であって、前記不織布パッドが、繊維−繊維溶融結合によって互いに結合される少なくともいくつかの不織布繊維を含む、工程と、
前記モノリシック不織布パッドと一体であり、かつ前記モノリシック不織布パッドの前記第１の主表面を提供する外側主表面を含む、少なくとも第１の準高密度化繊維層を形成する工程と、
少なくとも１つの結合剤前駆体を前記モノリシック不織布パッド全体に含浸させる工程と、
前記結合剤前駆体を固化させて、前記モノリシック不織布パッド全体に分散される結合剤小球にする工程であって、前記結合剤小球のうちの少なくともいくつかが、前記モノリシック不織布パッドの繊維のうちの少なくともいくつかを前記モノリシック不織布パッドのその他の繊維に結合させる、工程と、
前記不織布パッドの前記第１の主表面に、離間配置されたすり磨き体の第１の列を形成する工程であって、前記第１の列の少なくとも選択されたすり磨き体がそれぞれ、前記不織布パッドの前記第１の準高密度化層内に少なくとも部分的に侵入する内側部分、及び前記不織布パッドの前記第１の主表面を超えて外側に突出する外側部分を含む、工程と、を含む、方法。
〔態様２６〕
前記結合剤前駆体を前記モノリシック不織布パッド全体に含浸させる工程の前に、前記第１の準高密度化層を形成する工程が実施される、態様２５に記載の方法。
【手続補正２】
【補正対象書類名】特許請求の範囲
【補正対象項目名】全文
【補正方法】変更
【補正の内容】
【特許請求の範囲】
【請求項１】
すり磨き物品であって、
内部並びに第１の主表面及び第２の主表面を含むモノリシック不織布パッドであって、
繊維−繊維溶融結合によって互いに結合される少なくともいくつかの不織布繊維と、
小球形態で前記モノリシック不織布パッド全体に分散される結合剤によって互いに結合される少なくともいくつかの不織布繊維と、を含む、モノリシック不織布パッド、を含み、
前記モノリシック不織布パッドが、前記モノリシック不織布パッドと一体であり、かつ前記モノリシック不織布パッドの前記第１の主表面を提供する外側主表面を含む、第１の準高密度化繊維層を含み、
前記モノリシック不織布パッドの前記第１の主表面が、離間配置されたすり磨き体の第１の列を含み、前記第１の列の少なくとも選択されたすり磨き体がそれぞれ、前記モノリシック不織布パッドの前記第１の準高密度化繊維層内に少なくとも部分的に侵入する内側部分、及び前記モノリシック不織布パッドの前記第１の主表面を超えて外側に突出する外側部分を含む、すり磨き物品。
【請求項２】
前記パッドの前記不織布繊維が、第１の融点を示す第１の短繊維、及び前記第１の短繊維の前記第１の融点よりも低い第２の融点を示す少なくとも１つの構成要素を含む第２の短繊維を含み、少なくとも選択された第２の短繊維が、前記第１の短繊維と前記第２の短繊維との間の接触点で前記第１の短繊維に溶融結合される、請求項１に記載のすり磨き物品。
【請求項３】
但し、前記パッドの前記不織布繊維のうちの少なくとも実質的に全部は疎水性繊維である、請求項１に記載のすり磨き物品。
【請求項４】
前記少なくとも１つの結合剤が研磨粒子を含む、請求項１に記載のすり磨き物品。
【請求項５】
但し、前記少なくとも１つの結合剤は研磨粒子を含まない、請求項１に記載のすり磨き物品。
【請求項６】
少なくとも選択されたすり磨き体がそれぞれ、有機ポリマー樹脂からなる、請求項１に記載のすり磨き物品。
【請求項７】
少なくとも選択されたすり磨き体がそれぞれ、研磨粒子を含む、請求項１に記載のすり磨き物品。
【請求項８】
前記すり磨き体の内側部分が、平均で、前記すり磨き物品の前記第１の主表面から内側に、前記モノリシック不織布パッドの全厚の約１０％未満の距離で延在する、請求項１に記載のすり磨き物品。
【請求項９】
前記第１の列の少なくとも選択されたすり磨き体がそれぞれ、前記モノリシック不織布パッドの前記第１の主表面を超えて少なくとも０．２ｍｍ外側に突出する外側部分を含む、請求項１に記載のすり磨き物品。
【請求項１０】
前記第１の準高密度化繊維層が、前記パッドの前記内部の硬度よりも少なくとも約２０％高い硬度を示す、請求項１に記載のすり磨き物品。
【請求項１１】
前記モノリシック不織布パッドと一体であり、かつ前記モノリシック不織布パッドの前記第２の主表面を提供する外側主表面を含む第２の準高密度化繊維層を更に含み、前記モノリシック不織布パッドの前記第２の主表面が、離間配置されたすり磨き体の第２の列を含み、前記第２の列の少なくとも選択されたすり磨き体がそれぞれ、前記モノリシック不織布パッドの前記第２の準高密度化繊維層に少なくとも部分的に侵入する内側部分、及び前記モノリシック不織布パッドの前記第２の主表面を超えて外側に突出する外側部分を含む、請求項１に記載のすり磨き物品。
【請求項１２】
前記モノリシック不織布パッドの全厚が少なくとも約４ｍｍである、請求項１に記載のすり磨き物品。
【請求項１３】
前記モノリシック不織布パッドがエアレイドパッドである、請求項１に記載のすり磨き物品。
【請求項１４】
すり磨き物品の製造方法であって、
内部並びに第１の主表面及び第２の主表面を含むモノリシック不織布パッドを提供する工程であって、前記不織布パッドが、繊維−繊維溶融結合によって互いに結合される少なくともいくつかの不織布繊維を含む、工程と、
前記モノリシック不織布パッドと一体であり、かつ前記モノリシック不織布パッドの前記第１の主表面を提供する外側主表面を含む、少なくとも第１の準高密度化繊維層を形成する工程と、
少なくとも１つの結合剤前駆体を前記モノリシック不織布パッド全体に含浸させる工程と、
前記結合剤前駆体を固化させて、前記モノリシック不織布パッド全体に分散される結合剤小球にする工程であって、前記結合剤小球のうちの少なくともいくつかが、前記モノリシック不織布パッドの繊維のうちの少なくともいくつかを前記モノリシック不織布パッドのその他の繊維に結合させる、工程と、
前記不織布パッドの前記第１の主表面に、離間配置されたすり磨き体の第１の列を形成する工程であって、前記第１の列の少なくとも選択されたすり磨き体がそれぞれ、前記不織布パッドの前記第１の準高密度化層内に少なくとも部分的に侵入する内側部分、及び前記不織布パッドの前記第１の主表面を超えて外側に突出する外側部分を含む、工程と、を含む、方法。
【請求項１５】
前記結合剤前駆体を前記モノリシック不織布パッド全体に含浸させる工程の前に、前記第１の準高密度化層を形成する工程が実施される、請求項１４に記載の方法。